【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
表示画面上にて絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
前記絵柄を最終停止表示させるまでの変動表示時間を決定する変動表示時間決定手段と、
前記判定手段の判定結果が第１結果又は第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
さらに、前記判定手段の判定結果に基づいて最終停止表示させる停止絵柄を決定すると共に、前記判定手段の判定結果が前記第１結果である場合には特定絵柄が最終停止表示されるように、前記判定手段の判定結果が前記第２結果である場合には非特定絵柄が最終停止表示されるように停止絵柄を決定する停止絵柄決定手段を備え、
前記表示制御手段は、前記変動表示時間決定手段の決定した変動表示時間内で前記絵柄の変動表示を終了させるように、且つ前記変動表示時間の経過タイミングで前記停止絵柄決定手段の決定結果に基づいた停止絵柄を最終停止表示させるように前記絵柄表示装置を表示制御する遊技機において、
前記主制御手段は、前記判定手段の判定結果の少なくとも一部を示す判定結果コマンドを前記表示制御手段に対して送信するコマンド送信手段を備え、
前記表示制御手段は、前記絵柄を最終停止表示させるまでの間に前記表示画面に所定の識別情報を表示する識別情報表示手段と、前記コマンド送信手段から送信された前記判定結果コマンド及び前記停止絵柄決定手段により決定された停止絵柄に基づいて前記表示画面に表示すべき識別情報を決定する識別情報決定手段とを備え、
前記識別情報決定手段は、前記第１結果であることを示す判定結果コマンドを受信し、前記停止絵柄決定手段により前記特定絵柄を最終停止表示させるように停止絵柄が決定されている場合に、所定の抽選に当選した場合に限り特定識別情報を表示させると決定することを特徴とする遊技機。
【請求項２】
表示画面上にて絵柄を変動表示する絵柄表示装置と、
遊技を統括管理する主制御手段と、
該主制御手段の配下で前記絵柄表示装置を表示制御する表示制御手段と
を備え、
前記主制御手段は、
所定の判定を行う判定手段と、
前記判定手段の判定結果に基づいて最終停止表示させる停止絵柄を決定すると共に、前記判定手段の判定結果が第１結果である場合には特定絵柄が最終停止表示されるように、前記判定手段の判定結果が第２結果である場合には非特定絵柄が最終停止表示されるように停止絵柄を決定する停止絵柄決定手段と、
前記絵柄を最終停止表示させるまでの変動表示時間を決定する変動表示時間決定手段と、
前記判定手段の判定結果が前記第１結果又は前記第２結果であって前記変動表示時間決定手段の決定した変動表示時間を経過した場合、遊技状態を通常遊技状態より遊技者に有利な特別遊技状態に移行させる特別遊技状態移行手段と、
前記判定手段の判定結果が前記第１結果である場合、前記特別遊技状態の終了後に、前記判定手段の判定結果が前記第２結果である場合より遊技者に有利な特定遊技状態に移行させる特定遊技状態移行手段と
を備え、
前記表示制御手段は、前記変動表示時間決定手段の決定した変動表示時間内で前記絵柄の変動表示を終了させるように、且つ前記変動表示時間の経過タイミングで前記停止絵柄決定手段の決定結果に基づいた停止絵柄を最終停止表示させるように前記絵柄表示装置を表示制御する遊技機において、
前記主制御手段は、前記判定手段の判定結果の少なくとも一部を示す判定結果コマンドと、前記停止絵柄決定手段の決定した停止絵柄を示す停止絵柄コマンドとを前記表示制御手段に対して送信するコマンド送信手段を備え、
前記表示制御手段は、前記絵柄を最終停止表示させるまでの間に前記表示画面に所定の識別情報を表示する識別情報表示手段と、前記コマンド送信手段から送信された前記各コマンドに基づいて前記表示画面に表示すべき識別情報を決定する識別情報決定手段とを備え、
前記識別情報決定手段は、前記第１結果であることを示す判定結果コマンドと、前記特定絵柄を最終停止表示させることを示す停止絵柄コマンドとが受信され、且つ、所定の抽選に当選した場合に限り特定識別情報を表示させると決定することを特徴とする遊技機。
【請求項３】
前記主制御手段は、作動条件が成立した場合に情報を取得する取得手段を備え、前記判定手段は、前記絵柄の変動表示を開始させる際に、前記取得手段の取得した情報を用いて当たり外れの判定や特定非特定の判定を行い、前記コマンド送信手段は、前記第１結果であることを示す判定結果コマンドとして、前記当たりであることを示す当たりコマンドと、前記特定であることを示す特定コマンドとを別個に前記表示制御手段に対して送信することを特徴とする請求項２に記載の遊技機。
【請求項４】
前記主制御手段は、作動条件が成立した場合に情報を取得する取得手段を備え、前記判定手段は、前記絵柄の変動表示を開始させる際に、前記取得手段の取得した情報を用いて当たり外れの判定や特定非特定の判定を行い、前記コマンド送信手段は、前記第１結果であることを示す判定結果コマンドとして、前記当たりであることを示すと共に前記特定であることを示す特定当たりコマンドを前記表示制御手段に対して送信することを特徴とする請求項２に記載の遊技機。
【請求項５】
前記主制御手段は、作動条件が成立した場合に情報を取得する取得手段を備え、前記判定手段は、前記絵柄の変動表示を開始させる際に、前記取得手段の取得した情報を用いて特定当たりか非特定当たりか外れかの判定を行い、前記コマンド送信手段は、前記第１結果であることを示す判定結果コマンドとして、前記特定当たりであることを示す複数の判定結果コマンドを前記表示制御手段に対して送信することを特徴とする請求項２に記載の遊技機。
【請求項６】
前記主制御手段は、作動条件が成立した場合に情報を取得する取得手段を備え、前記判定手段は、前記絵柄の変動表示を開始させる際に、前記取得手段の取得した情報を用いて特定当たりか非特定当たりか外れかの判定を行い、前記コマンド送信手段は、前記第１結果であることを示す判定結果コマンドとして、前記特定当たりであることを示す特定当たりコマンドを前記表示制御手段に対して送信することを特徴とする請求項２に記載の遊技機。
【請求項７】
前記取得手段は、特定非特定の種別を判定する際に用いる種別情報と、少なくとも前記判定手段の判定結果が当たりである場合の停止絵柄を決定する際に用いる絵柄情報とを別個に取得することを特徴とする請求項３乃至６のいずれか１に記載の遊技機。
【請求項８】
前記絵柄表示装置は、前記特定絵柄と前記非特定絵柄をそれぞれ複数種類変動表示させるものであり、前記主制御手段は、前記絵柄情報の取得結果と、最終停止表示させる停止絵柄とを対応付けた停止絵柄情報群を当たり種別毎に記憶する停止絵柄情報群記憶手段を備え、前記停止絵柄決定手段は、前記判定手段の判定結果が当たりである場合、前記種別情報と前記絵柄情報と前記停止絵柄情報群記憶手段の記憶する内容とに基づいて最終停止表示させる停止絵柄を決定することを特徴とする請求項７に記載の遊技機。
【請求項９】
前記表示制御手段は、前記特定絵柄を最終停止表示させることを示す停止絵柄コマンドが受信された場合に、前記非特定絵柄を最終停止表示させることが可能か否かを少なくとも前記変動表示時間決定手段の決定した変動表示時間に基づいて判断する判断手段と、前記判断手段が可能であると判断した場合に、前記非特定絵柄を最終停止表示させるよう停止絵柄を変更する最終停止表示絵柄変更手段と、を備えることを特徴とする請求項２乃至８のいずれか１に記載の遊技機。
【請求項１０】
前記識別情報決定手段は、前記最終停止表示絵柄変更手段が前記非特定絵柄を最終停止表示させるよう停止絵柄を変更した場合、前記特定識別情報の表示を行わせないと決定することを特徴とする請求項９に記載の遊技機。